(57)【要約】      （修正有）【課題】より好ましい破裂防止性能を有する二重破裂防止ファスナーを提供する。【解決手段】左ファスナーテープ１と、右ファスナーテープ２と、左縫い糸３によって左ファスナーテープの内外両側の表面にそれぞれ縫着された左内エレメント列４及び左外エレメント列５と、右縫い糸６によって右ファスナーテープの内外両側の表面にそれぞれ縫着された右内エレメント列７及び右外エレメント列８と、スライダとを備え、左外エレメント列は右外エレメント列と相互に協力して係止接続され、左内エレメント列は右内エレメント列と相互に協力して係止接続されている二重破裂防止ファスナーにおいて、左縫い糸と右縫い糸は、いずれも、少なくとも２本の底線３０、６０と、少なくとも２本の面線３２、６２とを備え、底線のそれぞれは少なくとも１本の面線と対応してノットを協力して形成し、底線数と同じ個数の鎖型ステッチを形成している。【選択図】図３
2016131885.tif 000002
【特許請求の範囲】
【請求項１】
左ファスナーテープと、右ファスナーテープと、左縫い糸によって左ファスナーテープの内外両側の表面にそれぞれ縫着された左内エレメント列及び左外エレメント列と、右縫い糸によって右ファスナーテープの内外両側の表面にそれぞれ縫着された右内エレメント列及び右外エレメント列と、スライダとを備え、
左外エレメント列は右外エレメント列と相互に協力して係止接続され、左内エレメント列は右内エレメント列と相互に協力して係止接続されている二重破裂防止ファスナーにおいて、前記左縫い糸と右縫い糸は、いずれも、少なくとも２本の底線と、少なくとも２本の面線とを備え、前記底線のそれぞれは少なくとも１本の面線と対応・マッチしてノットを形成し、底線数と同じ個数の鎖型ステッチを形成していることを特徴とする二重破裂防止ファスナー。
【請求項２】
前記左内エレメント列、左外エレメント列、右内エレメント列及び右外エレメント列は、いずれも連続的に接続された複数のエレメントを有し、各エレメントの上面には、前記縫い糸を収容・制限するための少なくとも１つの凹溝がさらに設けていることを特徴とする請求項１に記載の二重破裂防止ファスナー。
【請求項３】
前記左縫い糸及び右縫い糸それぞれは、底線が１本毎に１本の面線に対応して掛けるように縫合されて鎖型ステッチを形成していることを特徴とする請求項１に記載の二重破裂防止ファスナー。
【請求項４】
前記左縫い糸及び右縫い糸それぞれは、底線が１本毎に２本の面線に対応して掛けるように縫合されて鎖型ステッチを形成していることを特徴とする請求項１に記載の二重破裂防止ファスナー。
【請求項５】
前記左縫い糸及び右縫い糸それぞれは、２組の縫い糸を含み、第１組の縫い糸は、底線が１本毎に１本の面線に対応して掛けるように縫合されて鎖型ステッチを形成し、第２組の縫い糸は、底線が１本毎に２本の面線に対応して掛けるように縫合されて鎖型ステッチを形成していることを特徴とする請求項１に記載の二重破裂防止ファスナー。
【請求項６】
前記左内エレメント列、左外エレメント列、右内エレメント列及び右外エレメント列は、いずれも樹脂製の螺旋状のエレメント列であることを特徴とする請求項１又は２に記載の二重破裂防止ファスナー。
【発明の詳細な説明】
【技術分野】
【０００１】
本発明は、ファスナーの技術分野に関し、特に、二重破裂防止ファスナーに関する。
【背景技術】
【０００２】
ファスナーは、素早いロック接続部材として、衣服やバッグ等の製品に幅広く用いられている。
【０００３】
ファスナーは、左チェーンと、右チェーンと、スライダとを主に備え、スライダの役割によって左、右チェーンが対応して噛み合わせて閉じたり、対応してロック解消して離れたりする。また、左チェーン又は右チェーンの構造は対称しており、いずれもファスナーテープと、縫い糸によってファスナーテープに縫着されたエレメント列とを備えている。従来のファスナーの縫い糸は、いずれも１本の底線と２本の面線とが相互に協力して構成され、底線により連続した複数のカラー（collar）が形成され、それぞれが面線に対応して套設されノットを形成し、さらに鎖型ステッチの縫合構造を形成している。
【０００４】
縫い糸は、面線が２本しかないため、エレメント列に対する固定があまり効果的ではなくて、ファスナーを繰り返して開閉する過程中、或いは外力により押圧された場合に、エレメントの位置ずれをしばしば発生させやすくて、ファスナーの破裂を招き、さらにバッグ内の財産が落としたり盗まれたりしまうことになる。
【発明の開示】
【発明が解決しようとする課題】
【０００５】
本発明の解決しようとする技術課題は、より好ましい破裂防止性能を有する二重破裂防止ファスナーを提供するものである。
【課題を解決するための手段】
【０００６】
上記技術課題を解決するために、本発明は以下のような技術手段とした。
左ファスナーテープと、右ファスナーテープと、左縫い糸によって左ファスナーテープの内外両側の表面にそれぞれ縫着された左内エレメント列及び左外エレメント列と、右縫い糸によって右ファスナーテープの内外両側の表面にそれぞれ縫着された右内エレメント列及び右外エレメント列と、スライダとを備え、左外エレメント列は右外エレメント列と相互に協力して係止接続され、左内エレメント列は右内エレメント列と相互に協力して係止接続されている二重破裂防止ファスナーにおいて、前記左縫い糸と右縫い糸は、いずれも、少なくとも２本の底線と、少なくとも２本の面線とを備え、前記底線のそれぞれは少なくとも１本の面線と対応・マッチしてノットを形成し、底線数と同じ個数の鎖型ステッチを形成している。
【０００７】
さらに、前記左内エレメント列、左外エレメント列、右内エレメント列及び右外エレメント列は、いずれも連続的に接続された複数のエレメントを有し、各エレメントの上面には、前記縫い糸を収容・制限するための少なくとも１つの凹溝がさらに設けている。
【０００８】
さらに、前記左縫い糸及び右縫い糸は、いずれも底線が１本毎に１本の面線に対応して掛けるように縫合されて鎖型ステッチを形成している。
【０００９】
さらに、前記左縫い糸及び右縫い糸は、いずれも底線が１本毎に２本の面線に対応して掛けるように縫合されて鎖型ステッチを形成している。
【００１０】
さらに、前記左縫い糸及び右縫い糸は、いずれも２組の縫い糸を含み、第１組の縫い糸は、底線が１本毎に１本の面線に対応して掛けるように縫合されて鎖型ステッチを形成し、第２組の縫い糸は、底線が１本毎に２本の面線に対応して掛けるように縫合されて鎖型ステッチを形成している。
【００１１】
さらに、前記左内エレメント列、左外エレメント列、右内エレメント列及び右外エレメント列は、いずれも樹脂製の螺旋状のエレメント列であり、複数のエレメントを有している。
【００１２】
また、本発明は、相互に協力して係止接続可能な左チェーン及び右チェーンと、左チェーン及び右チェーンを協力して係止接続させたり離間させたりするスライダとを含み、前記左チェーン及び右チェーンが、いずれも上記したいずれか１項に記載したチェーンである破裂防止ファスナーをさらに提供している。
【発明の効果】
【００１３】
本発明は、左縫い糸及び右縫い糸がいずれも少なくとも２本の底線と少なくとも２本の面線とを備え、底線数と同じ個数の鎖型ステッチを形成することにより、複数の点からエレメント列を固定できるため、エレメント列の固定がより効果的で、ファスナーの破裂を効果的に回避することができ、エレメント列に対応する凹溝をさらに設けることによって、縫い糸を収容・制限して、各エレメントの縫い糸に対する移動がより難しくなり、より好ましい固定効果を奏することができるという有益な効果を有している。
【図面の簡単な説明】
【００１４】
【図１】本発明による二重破裂防止ファスナーの全体構造の模式図である。
【００１５】
【図２】本発明による二重破裂防止ファスナーの部分拡大図である。
【００１６】
【図３】本発明による二重破裂防止ファスナーの横断面構造の模式図である。
【００１７】
【図４】本発明による二重破裂防止ファスナーの一実施例の左ファスナーテープ及びその内外両側面の左内エレメント列、左外エレメント列の組立模式図である。
【００１８】
【図５】本発明による二重破裂防止ファスナーの他の実施例の左ファスナーテープ及びその内外両側面の左内エレメント列、左外エレメント列の組立模式図である。
【発明を実施するための最良の形態】
【００１９】
以下、本発明をよりはっきり述べるために、図面を参照しながら本発明をさらに詳しく説明する。
【００２０】
図１から図３を参照すると、本発明は、左ファスナーテープ１と、右ファスナーテープ２と、左縫い糸３によって左ファスナーテープ１の内外両側の表面にそれぞれ縫着された左内エレメント列４及び左外エレメント列５と、右縫い糸６によって右ファスナーテープ２の内外両側の表面にそれぞれ縫着された右内エレメント列７及び右外エレメント列８と、スライダ９とを備える二重破裂防止ファスナーを提供している。
【００２１】
その中、左外エレメント列５は右外エレメント列８と相互に協力して係止接続され、左内エレメント列４は右内エレメント列７と相互に協力して係止接続され、具体的に、スライダ９の役割により係止接続やロック解消による離間を実現している。
【００２２】
図３から図５に示すように、前記左内エレメント列４及び左外エレメント列５はそれぞれ左ファスナーテープ１の内外両側の表面の右縁部に設けられ、また左縫い糸３によって前記左ファスナーテープ１に縫着されて左チェーンを形成し、前記左縫い糸３は、少なくとも２本の底線３０と、少なくとも２本の面線３２とを備え、前記底線３０のそれぞれは少なくとも１本の面線３２と対応・マッチしてノットを形成し、底線３０の数と同じ個数の鎖型ステッチを形成している。
【００２３】
より好ましい位置決め効果を奏させるために、さらに、前記左内エレメント列４及び左外エレメント列５の各エレメントの上面に、前記縫い糸を収容・制限するための少なくとも１つの凹溝４０、５０を設け、前記左内エレメント列４での凹溝４０は、底線３０を収容・制限するものであり、左外エレメント列５での凹溝５０は、面線３２を収容・制限するものであってもよく、前記凹溝４０、５０のそれぞれは大凹溝（図３に示すように）であってもよく、底線３０又は面線３２の１本毎に対して１つの凹溝を設けて、対応する縫い糸（図４、図５に示すように）をそれぞれ収容してもよい。
【００２４】
本発明の左縫い糸３の配置は、様々な異なる実施形態とすることができる。
【００２５】
形態１：図３に示すように、前記左縫い糸３は、底線３０が１本毎に２本の面線３２に対応して掛けるように縫合されて鎖型ステッチを形成している。
【００２６】
形態２：図４に示すように、前記左縫い糸３は、底線３０が１本毎に１本の面線３２に対応して掛けるように縫合されて鎖型ステッチを形成している。
【００２７】
以上の２つの形態を組合わせた形態３：第１組の左縫い糸３は、底線３０が１本毎に１本の面線３２に対応して掛けるように縫合されて鎖型ステッチを形成し、第２組の左縫い糸３は、底線３０が１本毎に２本の面線３２に対応して掛けるように縫合されて鎖型ステッチを形成している。
【００２８】
わかりやすく言うと、左縫い糸３の個数はより多くてもよい。例えば、底線、面線の個数はいずれも３本、４本、８本、ひいてはそれ以上としてもよい。
【００２９】
前記右内エレメント列７及び右外エレメント列８は、右縫い糸６によって右ファスナーテープ２の内外両側の表面の左縁部に縫着されて右チェーンを形成し、右縫い糸６も同様に底線６０と面線６２とを含んでいる。前記右チェーンと上記左チェーンは対称するように配置され、両方の構造原理は基本的に同じであり、ここで詳細は述べない。
【００３０】
本発明の左縫い糸３及び右縫い糸６は、いずれも、少なくとも２本の底線３０と、少なくとも２本の面線３２とを備え、底線数と同じ個数の鎖型ステッチをそれぞれ形成することによって、複数の点から各エレメント列を固定でき、エレメント列の固定効果がより好ましくなり、ファスナーの破裂を効果的に回避することができる。また、各エレメント列のそれぞれのエレメントに対応する凹溝をさらに設けることによって、縫い糸３を収容・制限して、エレメント列の各エレメントの縫い糸に対する移動がより難しくなり、より好ましい固定効果を奏することができる。
【００３１】
以上に開示したのは本発明の幾つかの具体的な実施例に過ぎず、本発明はこれに限定されるものではなく、当業者が容易に想到するいずれの変化も本発明の保護範囲に属するはずである。
【図１】
2016131885.tif 000003
【図２】
2016131885.tif 000004
【図３】
2016131885.tif 000005
【図４】
2016131885.tif 000006
【図５】
2016131885.tif 000007